(57)【要約】  【課題】強制運転モードとして予め定められた室温の目標温度である指示温度による運転をできるだけ維持しつつ、予め定められた温度範囲内で一時的にこの指示温度をユーザーが簡単に変更できる空気調和機を提供する。  【解決手段】空気調和機は、予め設定された指示温度になるように室温を制御する強制運転モードを実行中に指示温度の変更を一定の温度範囲内で許可する温度変更操作受付部４０を備えている。温度変更操作受付部４０は、強制運転モードを実行中にリモコンの停止キーが押下された場合、停止キーが押下された時から予め定めた温度変更許可期間が経過するまで一段階だけ指示温度を変更し、温度変更許可期間が経過すると指示温度を変更前の指示温度に徐々に戻す。【選択図】図２
2019148383.tif 000002
【特許請求の範囲】
【請求項１】
設定温度の変更を指示する設定温度変更キーと運転停止を指示する運転停止キーを有するリモコンを備え、
前記運転停止キーによる運転停止と前記設定温度変更キーによる設定温度変更の操作を受け付けず、予め設定された指示温度で運転を実行する強制運転モードを備えた空気調和機であって、
前記空気調和機は、前記強制運転モードを実行中に前記指示温度の変更を一定の温度範囲内で許可する温度変更操作受付手段を備え、
前記温度変更操作受付手段は、前記空気調和機が前記強制運転モードを実行中に前記リモコンの特定のキーが押下された場合、
前記特定のキーが押下された時から予め定めた温度変更許可期間が経過するまで前記指示温度を前記一定の温度範囲内で変更し、前記温度変更許可期間が経過した後に前記指示温度を変更前の前記指示温度に戻すことを特徴とする空気調和機。
【請求項２】
前記温度変更操作受付手段は、前記温度変更許可期間内に前記リモコンの特定のキーが押下された場合、現在の前記指示温度をさらに変更することを特徴とする請求項１記載の空気調和機。
【発明の詳細な説明】
【技術分野】
【０００１】
本発明は、空気調和機に関わり、より詳細には、任意の操作を受け付けない強制運転モードの実行中に室温の目標温度を変更する操作機能に関する。
【背景技術】
【０００２】
従来、空気調和機は強制運転モードを備えたものが知られている。（例えば、特許文献１参照。）。この強制運転モードは、例えばエアコンの操作に不慣れなユーザーである子供や老人が、夏場において熱中症にならないようにするための機能であり、予め設定した温度（指示温度）や運転状態などの条件を満たした場合、ユーザーの操作に関わらずに所定の空調運転を強制的に実行するものである。
【０００３】
そしてこの強制運転モードは、一旦開始されるとメニュー操作などの特定の操作を行わないと、通常の運転に復帰できないようになっている。また、指示温度も運転開始以降は変更できない。
もし、このような強制運転モードが無い場合、操作に不慣れなユーザーが誤って運転を停止させてしまった時、再度、空調運転させることができない可能性がある。もし夏場であればユーザーが熱中症になるおそれがある。また、ユーザーが誤って設定温度変更操作を行った場合も同様の問題がある。
【０００４】
しかしながら、強制運転モードにおける室温の指示温度は予め定めた固定温度であり、その日の天候や体感温度の個人差、個人の好みなどにより指示温度が必ずしもユーザーにとって快適とは限らず、かえってユーザーの体調を崩してしまうおそれがあった。
また、操作に慣れたユーザーであっても、強制運転モード中に指示温度を変更するためにはメニュー操作が必要であり、操作性が悪いという問題もあった。
【先行技術文献】
【特許文献】
【０００５】
【特許文献１】特開２００４−２３１９６３号公報（段落番号００３４〜００３７）
【発明の概要】
【発明が解決しようとする課題】
【０００６】
本発明は以上述べた問題点を解決し、強制運転モードの実行中において、強制運転モードとして予め定められた室温の目標温度である指示温度による運転をできるだけ維持しつつ、予め定められた温度範囲内で一時的にこの指示温度をユーザーが簡単に変更できる空気調和機を提供することを目的とする。
【課題を解決するための手段】
【０００７】
本発明は上述の課題を解決するため、本発明の請求項１に記載の発明は、
設定温度の変更を指示する設定温度変更キーと運転停止を指示する運転停止キーを有するリモコンを備え、
前記運転停止キーによる運転停止と前記設定温度変更キーによる設定温度変更の操作を受け付けず、予め設定された指示温度で運転を実行する強制運転モードを備えた空気調和機であって、
前記空気調和機は、前記強制運転モードを実行中に前記指示温度の変更を一定の温度範囲内で許可する温度変更操作受付手段を備え、
前記温度変更操作受付手段は、前記空気調和機が前記強制運転モードを実行中に前記リモコンの特定のキーが押下された場合、
前記特定のキーが押下された時から予め定めた温度変更許可期間が経過するまで前記指示温度を前記一定の温度範囲内で変更し、前記温度変更許可期間が経過した後に前記指示温度を変更前の前記指示温度に戻すことを特徴とする。
【０００８】
また、本発明の請求項２に記載の発明は、
前記温度変更操作受付手段は、前記温度変更許可期間内に前記リモコンの特定のキーが押下された場合、現在の前記指示温度をさらに変更することを特徴とする。
【発明の効果】
【０００９】
以上の手段を用いることにより、本発明による空気調和機によれば、強制運転モード実行中において、強制運転モードとして予め定められた室温の目標温度である指示温度による運転をできるだけ維持しつつ、予め定められた温度範囲内で一時的にこの指示温度をユーザーが簡単に変更できる。
【図面の簡単な説明】
【００１０】
【図１】本発明による空気調和機の実施例を示す外観図である。
【図２】本発明による制御部と、その周辺を説明するブロック図である。
【図３】温度変更操作受付部を説明するブロック図である。
【図４】本発明による温度変更操作受付部の動作を説明する説明図である。
【図５】本発明による温度変更操作受付部の動作を説明する別の説明図である。
【発明を実施するための形態】
【００１１】
以下、本発明の実施の形態を、添付図面に基づいた実施例として詳細に説明する。なお、本発明と直接関係のない室外機や冷媒系統、送風ファンやファンモータなどの図示と説明を省略している。
【実施例１】
【００１２】
図１は空気調和機を示す外観図であり、図１（１）は室内機１を、図（２）は室内機１を操作するリモコン２を示している。なお、図１（１）において太い矢印は室内機１の前面方向を示している。
【００１３】
図１（１）において、室内機１は前面にフロントパネル１１を、また、フロントパネル１１の背面に配置され、前面が解放された横長の箱体からなるベース１２を、さらに、ベース１２下面に上下風向板１３を備えている。また、室内機１の内部の右側には室内機１を制御する制御部３３が配置されている。さらに、室内機１の前面右側の下部にはリモコン２から出力される赤外線信号を受信する受信部３２が備えられ、受信部３２に隣接して音声を出力するスピーカー３１が備えられている。
【００１４】
図１（２）はリモコン２の正面を示しており、リモコン２の正面には、設定温度や時刻、運転モードなどを表示する表示部２２と、冷房運転キー２ｃと、暖房運転キー２ａと、除湿切換キー２ｄと、自動運転キー２ｂと、停止キー２ｅと、温度変更キー２ｆと、メニューキー２ｇと、その他のキーが備えられている。また、リモコン２の側面には赤外線信号を出力する送信部２４が備えられている。さらに、リモコン２の内部には制御ユニット２０が備えられている。
【００１５】
リモコン２のメニューキー２ｇが押下されると、表示部２２に図示しない各種のメニューが表示され、例えば「強制運転モードの許可」を選択し、かつ、運転を開始すると以後、再度メニュー操作でこのモードを解除しない限り空調運転の停止と温度変更などの空調運転操作ができなくなる。
【００１６】
「強制運転モード」とは、例えば夏場の熱中症対策などを主な目的としており、予め定めた運転モード、例えば冷房運転モードで、室温が予め定められた指示温度になるように空調運転を継続するモードである。このモードを実行中はリモコン２でメニュー操作に関わる以外のキーの受付が原則的に禁止される。
【００１７】
図２は室内機１の制御部３３と、その周辺ブロックからなる制御ユニット３０を説明するブロック図である。制御ユニット３０は、室温を検出して室温信号を制御部３３へ出力する室温検出部３２と、制御部３３が出力する音声信号を音声として出力するスピーカー３１と、リモコン２の送信部２４から出力される赤外線信号を受信して指示信号として制御部３３へ出力する受信部３４と、これらを制御する制御部３３を備えている。
【００１８】
制御部３３は、空調運転に関する操作を受け付けて実行する空調運転部５０と、リモコン２が送信した設定内容や操作内容の情報などを記憶する記憶部６０と、前述した強制運転モード実行中において予め定められた操作のみを受け付ける温度変更操作受付部（温度変更操作受付手段）４０を備えている。
【００１９】
空調運転部５０は、空調運転に関する操作や、設定操作を指示信号により受け付けて、この受け付けた指示内容、例えば設定情報と、運転モードや設定温度などの運転指示を一旦、記憶部６０に記憶する。そして、空調運転部５０は、記憶された設定情報と運転指示に従って空調運転を行う。
【００２０】
なお、記憶部６０は、設定情報の一部として「強制運転モードの許可／禁止」、強制運転モード時の「指示温度」、強制運転モード開始時の目標温度である「指示温度初期値」を、また、運転情報として「冷暖房などの運転モード」、「設定温度」、「風向」、「風量」などを記憶している。
【００２１】
強制運転モード時の「指示温度初期値」とは、強制運転モードの運転が開始される時に使用される指示温度である。空調運転部５０は、強制運転モードの開始時にこの値を強制運転モード時の「指示温度」に代入し、以降、強制運転モード中はこの強制運転モード時の「指示温度」を室温の目標温度（設定温度に相当）として使用する。
【００２２】
また、空調運転部５０は前述した強制運転モード実行中において、メニュー操作以外の操作を受け付けない。これは従来の強制運転モードと同じである。一方、温度変更操作受付部４０は強制運転モード運転中において、予め決定しておいた特定のキーである停止キー２ｅの入力のみを受け付ける。なお、操作が不慣れなユーザーにとって停止キー２ｅは室温が不快な温度になった時に運転を停止するため、取り合えず最初に押下すると思われるキーであるが、これに限るものでなく、操作に慣れたユーザーが最初に押下すると思われる温度変更キー２ｆなどのキーを特定のキーとして予め決めておいてもよい。また、特定のキーは複数のキーが定められていてもよい。
【００２３】
温度変更操作受付部４０は、受信部３４が受信する全ての指示信号が入力されており、この指示信号の中から停止キー２ｅが押下された時に出力される信号のみを選別して内部で用いる。ただし、温度変更操作受付部４０は、記憶部６０に記憶された「強制運転モードの許可／禁止」のデータが「許可」となっている間のみ停止キー２ｅの押下を受け付ける。
【００２４】
一方、空調運転部５０は「強制運転モードの許可／禁止」の設定が「許可」となった時、温度変更キー２ｆで設定された設定温度を室温の目標温度とする空調運転でなく、記憶部６０に記憶されている指示温度を室温の目標温度とする強制運転モードによる空調運転を開始する。なお、強制運転モードを実行中に室内機１は、メニュー操作と特定のキーである停止キー２ｅ以外の操作を受け付けない。
【００２５】
温度変更操作受付部４０は、例えば冷房の強制運転モード実行中において、停止キー２ｅが押下されたら記憶部６０に記憶されている室温の制御目標である指示温度を1℃だけ上昇させる。ただし、温度変更操作受付部４０は、強制運転モードにおける指示温度として予め設定された初期値＋２℃までとし、かつ、熱中症の防止を考慮して予め決定された２９℃（最大値）以内で上昇させる。
【００２６】
本実施例では操作に不慣れなユーザーによる指示温度の変更を、簡単な操作で受け付けるようにしている。このため、室温が不快な温度になった時にユーザーが取り合えず最初に押下すると思われる停止キー２ｅ特定のキーとし、さらに、ユーザーが冷房運転時に停止キー２ｅを押下する場合、冷房の効きすぎであると思われるため、前述のように指示温度を1℃だけ上昇させている。
【００２７】
そして温度変更操作受付部４０は、指示温度を1℃だけ上昇させてから予め定めた期間である温度変更許可期間（例えば３０分）が経過する毎に指示温度を０．５℃単位で低下させて徐々に元の指示温度に復帰させる。なお、暖房時の強制運転モードでは最低変更温度を強制運転モードにおける指示温度として予め設定された初期値−２℃までであり、かつ、１９℃（最低値）以上である。これらの値は、冷房時：２８℃、暖房時：２０度を基準目標としているためであり、可変可能な温度範囲は機器の仕様として任意に決定すればよい。
【００２８】
このように温度変更操作受付部４０では、運転モードに従って指示温度の最大／最低値を超えない範囲でのみユーザーの指示を受け付けるようになっている。例えば冷房運転時であれば最大値を熱中症にならない程度に、また最低値を体が冷えすぎない程度に、それぞれユーザーの体調を損なわない温度に設定するとよい。
【００２９】
さらに、温度変更操作受付部４０は、停止キー２ｅによる指示温度変更を常時受け付けるのでなく、停止キー２ｅを受け付けてから一定期間（再受付禁止期間）以内の停止キー２ｅを受け付け禁止にしているため、頻繁な温度変更による急激な温度変化でなく、ゆっくりとした温度上昇と、温度変更許可期間の経過による指示温度の温度下降によりゆっくりとした温度変化を行うようになっている。これにより、ユーザーが指示温度にできるだけ順応するようにし、ユーザーにおける室温の不快感を低減させる。
以上のように温度変更操作受付部４０は、ユーザーの体調を考慮した指示温度による強制運転モードの実行をできるだけ維持しつつ、予め定められた温度範囲内で一時的にこの指示温度をユーザーの好みにより簡単に変更できるようにしている。
【００３０】
図３は温度変更操作受付部４０の内部を示すブロック図である。
温度変更操作受付部４０は、指示信号の中から停止キー２ｅの信号のみを抽出する停止キー抽出部４２と、停止キー２ｅの受付が禁止された期間（２０分）だけハイレベルの受付タイマ信号を出力するキー受付タイマ４３と、温度変更許可期間（３０分）だけハイレベルの復帰タイマ信号を出力する復帰タイマ４３と、これらを制御する操作管理部４５と、記憶部６０内に記憶されている「強制運転の許可／禁止」が「許可」になった時にローレベルからハイレベルに変化する許可信号を操作管理部４５へ出力する動作許可部４１を備えている。
【００３１】
操作管理部４５は、動作許可部４１からハイレベルの許可信号が入力されている間のみ動作する。つまり、操作管理部４５は「強制運転モードの許可／禁止」が「許可」になり、空調運転部５０が指示温度を室温の目標温度として空調運転する強制運転モードの期間でのみ動作する。
一方、空調運転部５０は、強制運転モードを開始すると、まず最初に、記憶部６０内に記憶されている指示温度初期値を指示温度に代入する。従って、強制運転モード開始時は指示温度初期値と指示温度が等しい値になっている。
【００３２】
次に冷房運転時を例にして各部の動作を説明する。
空調運転部５０が強制運転モードを開始すると操作管理部４５は、強制運転モード開始以降に停止キー抽出部４２から停止キー信号が最初に入力されると、キー受付タイマ４３と復帰タイマ４４を起動させる。同時に操作管理部４５は、記憶部６０内に記憶されている指示温度に＋１℃を加算する。同時に操作管理部４５は、音声信号として「温度設定を高くします」をスピーカー３１に出力する。一方、空調運転部５０は室温が更新された指示温度になるように空調運転する。
【００３３】
操作管理部４５は、受付タイマ信号がハイレベルの期間（再受付禁止期間）に停止キー信号が入力された場合、「すぐには操作できません」と対応する音声信号を出力する。室内機１はこれに対応してスピーカー３１から「すぐには操作できません」と音声出力する。つまり、操作管理部４５は、停止キー２ｅの操作を連続して受け付けるのでなく、一定の時間を空けて受け付ける。
【００３４】
また、操作管理部４５は、停止キー２ｅを受け付けて指示温度を＋１℃加算した後、温度変更許可期間が終了して復帰タイマ４４の復帰タイマ信号がハイレベルからローレベルになった時、記憶部６０内に記憶されている指示温度を０．５℃減算する。さらに、操作管理部４５は、復帰タイマ４４を再起動して温度変更許可期間が再度終了した時、指示温度をさらに０．５℃減算する。このように指示温度が指示温度初期値に復帰するまで指示温度の減算を繰り返す。
【００３５】
また、操作管理部４５は、停止キー２ｅを受け付けた時に指示温度がすでに２９℃であった場合、「これ以上高くできません」と対応する音声信号を出力する。室内機１はこれに対応してスピーカー３１から「これ以上高くできません」と音声出力する。つまり、これ以上指示温度を上昇させた場合、熱中症になるおそれがあるため、前述したように指示温度に上限を設けている。
【００３６】
図４及び図５は温度変更操作受付部４０の動作を説明する説明図である。
図４及び図５において横軸は時刻である。図４及び図５の縦軸において（１）は記憶部６０内に記憶されている指示温度を、（２）は強制運転モードの設定状態を、（３）は室内機１の運転状態を、（４）は動作許可部４１が出力する許可信号を、（５）は停止キー抽出部４２が出力する停止キー信号を、（６）は操作管理部４５が出力する音声信号を、（７）はキー受付タイマ４３が出力する受付タイマ信号を、（８）は復帰タイマ４４が出力する復帰タイマ信号を、それぞれ示している。なお、図４〜図５は時間的に連続した状態を示しており、また、ｔ０〜ｔ１５は時刻を示している。
【００３７】
図４のｔ０において、記憶部６０内の指示温度初期値は２７．５℃、指示温度は２８℃、「強制運転モードの許可／禁止」が「禁止」に、運転モードが冷房に、それぞれ設定されており、また、受付タイマ信号と復帰タイマ信号とが共にローレベルになっている。
【００３８】
そしてｔ１でリモコン２の停止キー２ｅが押下されるが、図４（２）と図４（５）に示すように停止キー２ｅが押下された時点では「強制運転モードの許可／禁止」が「禁止」になっているため、許可信号がローレベル（禁止）であるため、温度変更操作受付部４０は何もしない。ｔ１で押下されたリモコン２の停止キー２ｅについては空調運転部５０で運転停止の処理が実行される。
【００３９】
一方、ｔ２でユーザーが「強制運転モードの許可／禁止」を「許可」に設定し、ｔ３で空調運転部５０が指示温度初期値の２７．５℃を指示温度に代入して、この指示温度を目標として強制運転モードによる冷房運転を開始すると、動作許可部４１は許可信号をハイレベル（許可）にする。このため操作管理部４５は動作を開始する。
【００４０】
強制運転モード実行中にリモコン２の停止キー２ｅがｔ４で押下された場合、停止キー抽出部４２は停止キー信号（ハイレベルのパルス信号）を出力する。この信号が入力された操作管理部４５は、２７．５℃の指示温度に対して１℃を加算して指示温度を２８．５℃にする。同時に操作管理部４５は、音声信号として「温度設定を高くします」をスピーカー３１に出力すると共に、キー受付タイマ４３と復帰タイマ４４を起動させる。そして各タイマはそれぞれ所定時間のカウントを開始する。
一方、空調運転部５０は室温が更新された指示温度になるように空調運転する。
【００４１】
そしてキー受付タイマ４３がｔ４で起動して受付タイマ信号がローレベルからハイレベルになった後、キー受付タイマ４３がタイムアップしてｔ６で受付タイマ信号がハイレベルからローレベルになる前、例えば再受付禁止期間内であるｔ５で停止キー２ｅが押下された場合、操作管理部４５は指示温度の変更を実行しない。この場合、操作管理部４５は、音声信号として「すぐに操作はできません」をスピーカー３１に出力する。つまり、操作管理部４５は、停止キー２ｅによる指示温度の変更を行った後は、キー受付タイマ４３が管理する時間である再受付禁止期間内の再度の停止キー２ｅの受付を禁止している。これは前回のキー受付で指示温度を変更した結果、室温が変化するまでの待機時間である。この待機時間が経過した後、ユーザーにとってまだ室温が低くて不快な場合は、停止キー２ｅによる再度の温度変更を受け付けるようになっている。
【００４２】
そして、ｔ６で受付タイマ信号がハイレベルからローレベル（受付可）になった後、ｔ７で停止キー２ｅが押下された場合、操作管理部４５は、２８．５℃の指示温度に対して１℃を加算して指示温度を２９．５℃にするべきであるが算出結果が２９℃を超えるため、指示温度を２９℃に設定する。同時に操作管理部４５は、音声信号として「温度設定を高くします」をスピーカー３１に出力すると共に、キー受付タイマ４３と復帰タイマ４４を再起動させる。そして各タイマはそれぞれ所定時間のカウントを開始する。
一方、空調運転部５０は室温が更新された指示温度になるように空調運転する。
【００４３】
そして、図５においてｔ８で受付タイマ信号がハイレベルからローレベルになった後、ｔ９で停止キー２ｅが押下された場合、仕様により現在の指示温度である２９℃よりも高い温度に変更することが禁止されているため、操作管理部４５は、音声信号として「これ以上高くできません」をスピーカー３１に出力する。
【００４４】
一方、ｔ１０で復帰タイマ４４がカウントアップして復帰タイマ信号がハイレベルからローレベルになると操作管理部４５は、現在の指示温度である２９℃から０．５℃減算して指示温度を２８．５℃に変更する。一方、空調運転部５０は室温が更新された指示温度になるように空調運転する。
【００４５】
そしてｔ１１で停止キー２ｅが押下された場合、操作管理部４５は、２８．５℃の指示温度に対して１℃を加算して指示温度を２９．５℃にするべきであるが算出結果が２９℃を超えるため、指示温度を２９℃に設定する。同時に操作管理部４５は、音声信号として「温度設定を高くします」をスピーカー３１に出力すると共に、キー受付タイマ４３と復帰タイマ４４を再起動させる。そして各タイマはそれぞれ所定時間のカウントを開始する。
一方、空調運転部５０は室温が更新された指示温度になるように空調運転する。
【００４６】
そしてｔ１１で停止キー２ｅが押下された以降に停止キー２ｅが押下されないと、操作管理部４５は、復帰タイマ４４がタイムアップ、つまり、温度変更許可期間（例えばｔ１１からｔ１３）が経過して復帰タイマ信号がハイレベルからローレベルになる毎に指示温度を０．５℃ずつ減算する。操作管理部４５は、復帰タイマ４４がタイムアップする毎に復帰タイマ４４を再起動し、指示温度の値が指示温度初期値と等しくなるまで、復帰タイマ４４の再起動と指示温度の減算を繰り返して実行する。図５では操作管理部４５がｔ１３から指示温度の減算処理を実行し、指示温度が指示温度初期値と等しくなったため、ｔ１５以降は復帰タイマ４４を再起動しない。
【００４７】
以上説明したように温度変更操作受付部４０は、強制運転モード実行中において、予め設定された２７．５℃から２９℃までの間の限られた温度範囲内で、停止キー２ｅの押下だけの簡単な操作で室温の温度目標に関するユーザーの要望を一時的に受け付けることができる。このため、強制運転モード本来の目的であるユーザーの体調を考慮した室温を維持しつつ、ユーザーの操作性を向上させた空調運転を行うことができる。
【符号の説明】
【００４８】
１  室内機
２  リモコン
１１  フロントパネル
１２  ベース
１３  上下風向板
２ａ  暖房運転キー
２ｂ  自動運転キー
２ｃ  冷房運転キー
２ｄ  除湿切換キー
２ｅ  停止キー
２ｆ  温度変更キー
２ｇ  メニューキー
２０  制御ユニット
２２  表示部
２４  送信部
３０  制御ユニット
３１  スピーカー
３２  室温検出部
３３  制御部
３４  受信部
４０  温度変更操作受付部（温度変更操作受付手段）
４１  動作許可部
４２  停止キー抽出部
４３  キー受付タイマ
４４  復帰タイマ
４５  操作管理部
５０  空調運転部
６０  記憶部
【図１】
2019148383.tif 000003
【図２】
2019148383.tif 000004
【図３】
2019148383.tif 000005
【図４】
2019148383.tif 000006
【図５】
2019148383.tif 000007